(57)【要約】      （修正有）【課題】遺体焼却の際に炉内損傷や焼却残留物の遺骨付着することのない納棺用畳縁及びこの畳縁を使用する納棺用畳及び畳縁の表面文様を欠くことのない折り返しを有する納棺用畳の製作が極めて容易な納棺用畳縁及び畳縁表面に描かれる連続文様等を欠くことがない意匠的に優れた納棺用畳を提供する。【解決手段】納棺用畳縁１１は、棺内に２枚をセットとして配置される畳表材の畳縁であって、紙素材である。納棺用畳縁１１の裏面１３の幅方向側端部から所定位置に、表面１２の文様を欠くことのない及び／又は不揃いとならない位置に、畳表材とのミシン縫い目印線１４を有する。【選択図】図５
0003232039.tif 000002
【実用新案登録請求の範囲】
【請求項１】
棺内に２枚をセットとして配置される畳表材の畳縁であって、
同畳縁は、紙素材又は炉内損傷や遺骨付着を生じることのない素材であることを特徴とする納棺用畳縁。
【請求項２】
請求項１に記載の畳縁を有することを特徴とする納棺用畳。
【請求項３】
納棺用畳縁の裏面の幅方向側端部から所定位置に同畳縁の表面の文様を欠くことのない及び／又は不揃いとならない位置に畳表材とのミシン縫い目印線を有することを特徴とする納棺用畳縁。
【請求項４】
請求項３に記載の畳縁を有することを特徴とする納棺用畳。
【請求項５】
畳縁表面の文様が専用の印刷機又はパーソナルコンピュータ及びプリンタにより施主の要望に基づく文様を長尺紙素材に出力した納棺用畳縁であることを特徴とする納棺用畳縁。
【考案の詳細な説明】
【技術分野】
【０００１】
本考案は、畳表材に天然い草を使用する納棺用畳縁及びこの畳縁を使用する納棺用畳に関する。
【背景技術】
【０００２】
納棺に際し遺体を棺内に安置する場合には、棺に直接遺体を収容するのではなく、一定の装束を着せ、棺の底板の上に所定に敷物、例えば、畳表材を有する納棺用畳を敷いて，その上に遺体を安置することが行われる。
この種の納棺用敷物については、本願出願人は，既に、実開平７−１５０２９号公報及び実用新案登録第３２２９３２２号公報に開示のものを提案している。実開平７−１５０２９号公報の開示は、考案名称「納棺用敷物」に係り、「納棺された遺体から滲出する水分（悪液）、生花、ドライアイスなどの納棺用具から滲出する水分（悪液）を吸収し、該水分が床の畳、床板などを汚染することを防止する有益な納棺用敷物の提供、遺体、棺、納棺用具などと共に完全燃焼する燃えやすい納棺用敷物の提供」を目的として(同公報明細書段落番号)０００５参照）、「易燃性かつ吸湿性の芯材の少なくとも遺体安置部位側表面を易燃性で吸湿性の包被部材で包被した敷物体で構成」すること等によって(同公報実用新案登録請求の範囲請求項１の記載等参照）、「遺体から滲出する水分（悪液）、納棺用品から滲出する水分（悪液）が敷物体に吸収され、棺から床へ滲出しない。水分（悪液）で畳、床板などが汚染されることを防止できると共に、床の汚染防止のために防水シートを敷くという手間を省ける。」等々の効果を奏するものであり(同公報明細書段落番号００３５〜００４０参照）。
【０００３】
また、実用新案登録第３２２９３２２号公報の開示は、考案名称「リバーシブル納棺用敷物」に係り、「和風装束にも洋風装束にもマッチする（適合する）一面が畳表を使用する敷物で、他面が絵柄模様等が施された面を有する、リバーシブル納棺用敷物を提供する」ことを目的とする考案解決課題において(同公報明細書段落番号０００６参照）、「上端部材及び下端部材の中心材の表側に上端部材及び下端部材を連結接合する両端に畳縁が縫合されたい草畳表材面と、上端部材及び下端部材の各中心材の裏側に接合され、洋風装束に適合する図柄模様が描かれた裏面材と、を有し、上端部材及び下端部材が表側のい草畳表材面の中央で表側に二つ折りされることを特徴とする」構成とすることにより(同公報)実用新案登録請求の範囲請求項１の記載等参照）、「納棺において、ご遺体の和風装束にも洋風装束にも適宜適応することができる」との効果を奏するものである(同公報明細書段落番号０００８参照)。
【０００４】
図８は、実用新案登録第３２２９３２２号公報に図５として添付されるい草畳表材の表面部２を上にして開示考案の実施例１に係るリバーシブル納棺用敷物を配置した和風装束納棺の例を示した概略図であり、符号１０１ａ、実用新案登録第３２２９３２２号公報の開示考案の実施例１に係るリバーシブル納棺用敷物の一方、１０１ｂは、同他方、１０２は、い草畳表材の表面、１０８は、棺、１０９は、白布、１１０は、棺蓋である（なお、符号は、先行技術であることを明らかにするために、本願出願人において、３桁に変更して説明した。）
【０００５】
図８に示すい草畳表材を使用する納棺用敷物には、一般住宅用の天然い草の畳表材を使用し、かつ、畳縁としては、表面縁に幅３０ｍｍ内外の白地の綾に雲形や菊花などの紋を黒く織り出した織物からなる高麗縁が使用され、い草畳表材の表面部２と畳縁３は畳縁３の両端をミシン縫いで縫合するなどされている。
【０００６】
ところが、天然い草の畳表材を使用する納棺用敷物であっても、結局のところ、火葬場において焼かれてしまうので、納棺用敷物の畳縁に布製の織物や合成繊維製などを使用している場合には、高温燃焼などで炉内で異常燃焼が生じる恐れもあり、また、合成繊維の焼却残留物が遺骨に付着するなどの問題があった。
【先行技術文献】
【特許文献】
【０００７】
【特許文献１】実開平７−１５０２９号公報
【特許文献２】実用新案登録第３２２９３２２号公報
【考案の概要】
【考案が解決しようとする課題】
【０００８】
そこで、本願考案者は、ご遺体焼却の際にも炉内損傷等の悪影響を起こすことがなく、また、焼却残留物が遺骨にも付着することのない納棺用畳縁及びこの畳縁を使用する納棺用畳を提供することを目的とする。さらに、畳縁の表面文様を欠くことのない折り返しを有する納棺用畳の製作が極めて容易な納棺用畳縁及びこれを使用する、畳縁表面に描かれる連続文様等を欠くことがない意匠的に優れた納棺用畳を提供することを目的とする。
【課題を解決するための手段】
【０００９】
上記の課題を解決するために、本願請求項１に係る考案は、棺内に2枚をセットとして配置される畳表材の畳縁であって、紙素材又は炉内損傷や遺骨付着を生じることのない素材であることを特徴とする。
また、本願請求項２に係る考案は、納棺用畳において、前記請求項１に記載の畳縁を有することを特徴とする。
そして、本願請求項３に係る考案は、納棺用畳縁において、納棺用畳縁の裏面の幅方向側端部から所定位置に同畳縁の表面の文様を欠くことのない及び／又は不揃いとならない位置に畳表材とのミシン縫い目印線を有することを特徴とする。
また、本願請求項４に係る考案は、納棺用畳において、前記請求項３に記載の畳縁を有することを特徴とする。
さらに、本願請求項５に係る考案は、納棺用畳縁において、畳縁表面の文様が専用の印刷機又はパーソナルコンピュータ及びプリンタにより施主の要望に基づく文様を長尺紙素材に出力した納棺用畳縁であることを特徴とする。
【考案の効果】
【００１０】
上記の構成としたので、本願考案に係る納棺用畳縁及びこの畳縁を使用する納棺用畳は、天然い草を使用する納棺用敷物であっても、ご遺体焼却の際にも炉内損傷等の悪影響を起こすことがなく、また、焼却残留物が遺骨にも付着することのないという効果を有する。さらには、畳縁の表面文様を欠くことのない折り返しを有する納棺用畳の製作が極めて容易となるばかりでなく、畳縁表面に描かれる連続文様等を欠くことがないので、意匠的に優れた納棺用畳となる。
【図面の簡単な説明】
【００１１】
【図１】図１（Ａ）は、本考案の実施例１に係る納棺用畳縁の表面概略を示す図であり、図１（Ｂ）は、同裏面概略を示す図である。
【図２】図２（Ａ）（Ｂ）は、２枚組セットとする本実施例１に係る納棺用畳２のうちの１枚の概略を示す図であり、図２（Ａ）は表側の概略を、図２（Ｂ）は、裏側の概略を示す図である。
【図３】図３は、２枚組セットとする本実施例１に係る納棺用畳のうちの１枚の横断面概略図である。
【図４】図４は、本実施例１に係る納棺用畳２の畳縁１を裏返しにして所定幅（例えば、標準サイズ棺内に配置する４５０ｍｍ幅）のい草畳表材の表面３にミシン縫いする概略を示す図である。
【図５】図５（Ａ）（Ｂ）は、本考案の実施例２に係る納棺用畳縁の概略を示す図であり、図５（Ａ）は、畳縁の表面を、図５（Ｂ）は、裏面の概略図である。
【図６】図６は、本実施例２に係る納棺用畳縁１１について、畳表材３上で折り返された場合にも、その表面に描かれる円形文様が欠ける等のことがないように配置された表面の円形文様と裏面のミシン縫い目印線１４との配置関係を示す裏面概略図であり、便宜的に表面の文様を破線で透過的に示している。
【図７】図７は、本実施例２に係る納棺用畳縁１１の表面１２に描かれる連続的な文様の例を示す図であり、図７（Ａ）〜（C)）は、ひし形の連続文様等の畳縁文様、図７（Ｄ）は、家紋を連続的に描いた例である。
【図８】図８は、実用新案登録第３２２９３２２号公報に図５として添付されるい草畳表材の表面部２を上にして開示考案の実施例１に係るリバーシブル納棺用敷物を配置した和風装束納棺の例を示した概略図である。
【考案を実施するための形態】
【００１２】
本考案に係る納棺用畳縁及びこの畳縁を使用する納棺用畳を実施するための一実施例を図面に基づき詳細に説明する。
【実施例１】
【００１３】
図１（Ａ）は、本考案の実施例１に係る納棺用畳縁の表面概略を示す図であり、図１（Ｂ）は、同裏面概略を示す図である。図１（Ａ）（Ｂ）において、符号１は、納棺用畳の畳縁である。
図１（Ａ）に示すように、本実施例１に係る納棺用畳の畳縁は、素材が紙である紙地の表に「小型網戸中紋」が印刷された幅約９７ｍｍの長尺の納棺用畳の縁の表側を示す図であり、図１（Ｂ）に示すように、その裏側には、糊等の塗布はない。
【００１４】
なお、本実施例１に係る納棺用畳２の畳縁１の表面文様は、「小型霊中紋」に限らず、「小型網戸中紋」、「小型金七宝」、「金中紋」などであっても良い。そして、これらの一般的紋の文様に限らず、例えば、各家に伝わる家紋などであってもよく、納棺の直前で遺族に伝わる家紋を配列してプリンター出力した一定の文様となるようにした畳縁であってもよい。
そして、本実施例１に係る納棺用畳の畳縁１を使用するには、標準的なサイズの棺内に２枚組セットが並置される長さ８７０ｍｍ、幅４５０ｍｍ、厚さ１５ｍｍのい草を素材とする畳表材の畳み目に直角になるように、両側から表側に約３０ｍｍ程度の畳縁１が納棺畳の両側に露出するように製作される。
【００１５】
図２（Ａ）（Ｂ）は、２枚組セットとする本実施例１に係る納棺用畳２のうちの１枚の概略を示す図であり、図２（Ａ）は表側の概略を、図２（Ｂ）は、裏側の概略を示す図である。図２（Ａ）（Ｂ）において、符号１は、図１（Ａ）（Ｂ）に示した本実施例１に係る納棺用畳２の畳縁であり、符号２は、本実施例１に係る納棺用畳であり、３は、い草素材の畳表材、４は、畳床であり、本実施例１に係る納棺用畳２にあっては、段ボール素材である。また、符号５は、畳表材３を畳床４の裏面に接着する接着テープである。
【００１６】
また、図３は、２枚組セットとする本実施例１に係る納棺用畳のうちの１枚の横断面概略図である。図３において、１は、本実施例１に係る納棺用畳２の畳縁、２は、本実施例１に係る納棺用畳、３は、い草からなる畳表材、４は，畳床、６は、両面接着テープである。図３から明らかなように、本実施例１に係る納棺用畳２は、後述するように、所定幅端にミシン縫いされ、このミシン縫い目で折り返された畳縁１は、畳床４上に配置された畳表材３を包み込み、畳縁１の他端と畳床４の裏面との間を両面接着テープ６で接合された断面構造を有するものである。
【００１７】
次に、本実施例１に係る納棺用畳２を作る工程を図面と共に説明する。
図４は、本実施例１に係る納棺用畳２の畳縁１を裏返しにして所定幅（例えば、標準サイズ棺内に配置する４５０ｍｍ幅）のい草畳表材の表面３にミシン縫いする概略を示す図である。図４において、１は、本実施例１に係る納棺用畳の畳縁、３は、い草素材の畳表材、７は、ミシン縫い目、７ａ、７ｂは、ミシン糸である。
【００１８】
図４から明らかなように、本実施例１に係る納棺用畳２（図４では図示外）を作る際には、畳縁１を裏返しにして畳表材３の表面の端部から３０ｍｍ程度離して、畳み目と直角となるようにミシンで縫い付ける。ついで、縫い付けられた畳表材３を畳床４（図４では図示外）上に裁置し、ミシン縫い目７に沿って畳縁１を折り返し、そのまま畳表材２ごと畳床４（図４では図示外））の裏面まで折り込み、しかるのち、畳縁１と畳床４の裏面との間を両面接着テープ６（図４では図示外）で接合する。
なお、畳表材３も上下の端部を畳床４の裏面まで折り返し、接着テープ５で畳床４の裏面と接合する。
【００１９】
このように、本実施例１に係る納棺用畳縁１について、紙素材の畳縁１としたので、この畳縁１を使用する納棺用畳２について、天然い草を使用するの納棺用畳２とすることと相まって、遺体焼却の際にも炉内損傷等の悪影響を起こすことがなく、また、焼却残留物が遺骨にも付着することのない納棺用畳とすることができ、焼却場での採用を断られることがなくなる。
【実施例２】
【００２０】
次に、本願出願人は、納棺用畳の畳縁について、納棺用畳を製造するに極めて便宜な畳縁を案出するに至った。すなわち、以下に述べる本実施例２に係る納棺用畳の畳縁を用いることによって納棺用畳の製作作業が極めて容易となるものである。
【００２１】
図５（Ａ）（Ｂ）は、本考案の実施例２に係る納棺用畳縁の概略を示す図であり、図５（Ａ）は、畳縁の表面を、図５（Ｂ）は、裏面の概略図である。図５（Ａ）（Ｂ）において、符号１１は、本考案の実施例２に係る納棺用畳縁であり、実施例１に係る納棺用畳縁１と同じ紙素材である。また、符号１２は、同畳縁１１の表面、１３は、同畳縁１１の裏面、１４は、同畳縁１１の裏面１３の端部から所定位置に配置されるミシン縫いの際のミシン縫い目印線である。
【００２２】
図５（Ａ）（Ｂ）から明らかなように、本実施例２に係る納棺用畳縁１１の裏面は、上述してきた実施例１に係る納棺用畳縁１と異なり、裏面１３の幅方向の側端部から所定位置（例えば、３０ｍｍ内外）にミシン縫いの際の目印となるミシン縫い目印線１４が描かれている点が相違する。
すなわち、当該ミシン縫い目印線１４は、単に、畳縁１１の側端部からの距離ではなく、畳縁１１の表面１２に描かれる文様の配置との関係でその位置が決められるミシン縫い目印線１４としたものである。この点について、以下に詳述する。
【００２３】
図５（Ａ）から明らかなように、本実施例２に係る納棺用畳縁１の表面も実施例１に係る納棺用畳縁１と同じように、例えば、「小型霊中紋」と称される文様が施されている。この種の畳縁１１の表面１２に施される文様は、「小型霊中紋」に限らず、他に「小型網戸中紋」、「小型金七宝」、「金中紋」などがあるが、多くの場合いずれも円形文様の中に特徴的な文様が施された連続的な模様を呈している。
そして、この種の畳縁１１をい草畳表材の表面３（図１（Ａ）参照）に縫い付けるには、実施例１に係る納棺用畳２の製作において説明したように、い草素材の畳表材３の表面の端部から３０ｍｍ程度の所定位置に裏返しにした畳縁１を配置し、ミシン縫いを行ったのち、この縫い目に沿って畳縁１を折り返し、畳縁１の表面３がい草素材の畳表材３の表面に畳縁１が直線的に現れるようにして作成される。
【００２４】
しかしながら、この畳表材３の表面に直線的に現れる畳縁１の折り返し部(線）は、通常の場合には、畳表材３の表面の円形文様と一致しないことも多く、これを一致させるためには、畳表材３の表面の円形文様が欠けて現れたりしないように畳表材３の表面の円形文様と合致させる必要がある。すなわち、図２（Ａ）に示されるように、い草素材の畳表材３との接合は、ミシン縫いの折り返し箇所（折り返し線）として表面に表れるのに対し、上述してきたように、畳縁１の表面の文様は、連続的な円形文様中に特徴的な文様が描かれているので、ミシン縫いの折り返し線が円形文様にかかって折り返されると、せっかくの連続的円形が不揃いとなり、美しくない。
【００２５】
そこで、本実施例２に係る納棺用畳縁１１においては、ミシン縫いに沿って折り返された場合にも、その表面の円形文様が欠けることがないように、その裏面１３の所定位置にミシン縫い目印線１４を描いたものである。
図６は、本実施例２に係る納棺用畳縁１１について、畳表材３上で折り返された場合にも、その表面に描かれる円形文様が欠ける等のことがないように配置された表面の円形文様と裏面のミシン縫い目印線１４との配置関係を示す裏面概略図であり、便宜的に表面の文様を破線で透過的に示している。図６において、１１は、本実施例２に係る納棺用畳縁、１２は、その表面、１２ａは、表面１２に描かれた連続的円形文様、１３は、本実施例２に係る納棺用畳縁１１の裏面、１４は、その裏面１３に側端部から所定位置（例えば、３０ｍｍ内外）に描かれたミシン縫い目印線である。
【００２６】
図６から明らかなように、本実施例２に係る納棺用畳縁１１においては、裏面１３のミシン縫い目印線１４は、畳縁１１の側端部から３０ｍｍ程度の位置にこのミシン縫い目印線１４に沿って折り返された際に表面１２の円形文様１２ａを欠くことがないように円形文様１２ａの周縁に沿って配置されている。
【００２７】
このようにしたので、本実施例２に係る納棺用畳縁１１を使用する納棺用畳は、ミシン縫い目印線１４をい草素材の畳表材の側端部から３０ｍｍ内外で畳み目に直角となる位置を決めてミシン縫いを行えば良いのであるから、い草素材の畳表材へのミシン縫い作業がきわめて容易となり、また、本実施例２に係る納棺用畳縁を使用する納棺用畳は、畳縁表面に描かれる連続文様等を欠くことないので、意匠的に優れた納棺用畳となる。
【実施例３】
【００２８】
実施例２に係る納棺用畳縁１１においては、裏面１３のミシン縫い目印線１４に沿って折り返された場合にも、その表面１２に描かれる連続的円形文様１２ａが欠けたり不揃いとなったりすることのないようにしたものであるが、この円形文様１２ａは、必ずしも円形外周を有する文様に限らず、方形ないしはひし形等同じ文様が連続して描かれている場合に、文様各部の統一的な箇所が連続して折り返し線となるようにミシン縫い目印線１４を描いても良い。例えば、連続的に描かれるひし形外形内に特徴的な文様であったり、直線だけによる縦縞文様であっても良いものである。さらには、各家庭に伝承され、通例、円形で描かれる家紋が連続的に描かれる文様であっても良い。  
【００２９】
図７は、本実施例２に係る納棺用畳縁１１の表面１２に描かれる連続的な文様の例を示す図であり、図７（Ａ）〜（C)）は、ひし形の連続文様等の畳縁の文様、図７（Ｄ）は、家紋（五つ矢車）を連続的に描いた例である。なお、裏面１３のミシン縫い目印線１４は省略している。
さらに、本実施例２に係る納棺用畳縁１１も材質は紙であり、上記の表面１２の文様１２ａ及び裏面１３のミシン縫い目印線１４は、専門の印刷機によるものでも良いが、パーソナルコンピュータ及びプリンタ（いずれも図示外）により施主の要望に基づく家紋等の文様を長尺紙素材に出力した納棺用畳縁１１であっても良いことは、実施例１に係る納棺用畳２の畳縁１の表面文様と同じである。
【産業上の利用可能性】
【００３０】
本考案は、畳表材に天然い草を使用する納棺用畳縁及びこの畳縁を使用する納棺用畳に関する。
【符号の説明】
【００３１】
１ 納棺用畳縁
２ 納棺用畳
３ 畳表材の表面
４ 畳床
５ 接着テープ
６ 両面接着テープ
７ ミシン目
７ａ、７ｂ ミシン糸
１１ 実施例２に係る納棺用畳縁
１２ 納棺用畳縁の表面
１２ａ 円形文様
１３ 納棺用畳縁１１の裏面
１４ ミシン縫い目印線
１０１ａ 実用新案登録第３２２９３２２号公報の開示係るリバーシブル納棺用敷物の一方
１０１ｂ 同他方
１０２ い草畳表材の表面
１０８ 棺
１０９ 白布
１１０ 棺蓋
【図１】
0003232039.tif 000003
【図２】
0003232039.tif 000004
【図３】
0003232039.tif 000005
【図４】
0003232039.tif 000006
【図５】
0003232039.tif 000007
【図６】
0003232039.tif 000008
【図７】
0003232039.tif 000009
【図８】
0003232039.tif 000010
【手続補正書】
【提出日】令和3年3月16日(2021.3.16)
【手続補正１】
【補正対象書類名】実用新案登録請求の範囲
【補正対象項目名】全文
【補正方法】変更
【補正の内容】
【実用新案登録請求の範囲】
【請求項１】
棺内に２枚をセットとして配置される畳表材の畳縁であって、
同畳縁は、紙素材であることを特徴とする納棺用畳縁。
【請求項２】
請求項１に記載の畳縁を有することを特徴とする納棺用畳。
【請求項３】
納棺用畳縁の裏面の幅方向側端部から所定位置に同畳縁の表面の文様を欠くことのない及び／又は不揃いとならない位置に畳表材とのミシン縫い目印線を有することを特徴とする納棺用畳縁。
【請求項４】
請求項３に記載の畳縁を有することを特徴とする納棺用畳。
【請求項５】
畳縁表面の文様が専用の印刷機又はパーソナルコンピュータ及びプリンタによる文様の長尺紙素材納棺用畳縁であることを特徴とする納棺用畳縁。
【手続補正２】
【補正対象書類名】明細書
【補正対象項目名】０００９
【補正方法】変更
【補正の内容】
【０００９】
上記の課題を解決するために、本願請求項１に係る考案は、棺内に２枚をセットとして配置される畳表材の畳縁であって、同畳縁は、紙素材であることを特徴とする納棺用畳縁。
また、本願請求項２に係る考案は、納棺用畳において、前記請求項１に記載の畳縁を有することを特徴とする。
そして、本願請求項３に係る考案は、納棺用畳縁において、納棺用畳縁の裏面の幅方向側端部から所定位置に同畳縁の表面の文様を欠くことのない及び／又は不揃いとならない位置に畳表材とのミシン縫い目印線を有することを特徴とする。
また、本願請求項４に係る考案は、納棺用畳において、前記請求項３に記載の畳縁を有することを特徴とする。
さらに、本願請求項５に係る考案は、納棺用畳縁において、畳縁表面の文様が専用の印刷機又はパーソナルコンピュータ及びプリンタによる文様の長尺紙素材納棺用畳縁であることを特徴とする。